(57)【要約】【課題】遮光状態においてもある方向の視認性を確保し、遮光する必要がない場合は、全方向の視認性を確保できる光学制御部材を提供する。【解決手段】実施形態によれば、光学制御部材は、パターンで形成された、複数の第１領域３２および複数の第２領域３４を有する光学制御層と、前記光学制御層３０と所定の間隔を置いて対向配置されたフォトクロミック色素を含む制御層４０と、を備え、前記第１領域３２は、前記第２領域３４と比較して光の透過性が高い。【選択図】図１
2016024232.tif 000002
【特許請求の範囲】
【請求項１】
パターンで形成された、複数の第１領域および複数の第２領域を有する光学制御層と、
前記光学制御層と所定の間隔を置いて対向配置されたフォトクロミック色素を含む制御層と、を備え、
前記第１領域は、前記第２領域と比較して光の透過性が高い光学制御部材。
【請求項２】
対向する第１面および第２面を有し、光透過性を有する基材を更に備え、
前記光学制御層は、前記第１面に設けられ、
前記制御層は、前記第２面に設けられている請求項１に記載の光学制御部材。
【請求項３】
前記基材は、ガラス、ポリカーボネイト、ポリエチレンテレフタラートまたはアクリルを含む樹脂部材群から選ばれる材料で形成され、透明性を有し、無色または着色されている板材もしくはフィルム材である請求項２に記載の光学制御部材。
【請求項４】
前記第１領域および前記第２領域とは、それぞれ、帯状に形成され、互いに交互に併設されている請求項１ないし３の何れか１項に記載の光学制御部材。
【請求項５】
前記制御層は、２種類以上のフォトクロミック色素が混合されている請求項１ないし４の何れか１項に記載の光学制御部材。
【請求項６】
前記制御層は、それぞれフォトクロミック色素を含む層を２層以上積層して形成されている請求項１ないし５の何れか１項に記載の光学制御部材。
【請求項７】
前記光学制御層および前記制御層の少なくとも一方の層の表面上に、保護膜が形成されている請求項１ないし６の何れか１項に記載の光学制御部材。
【請求項８】
前記光学制御層および前記制御層の少なくとも一方の層の表面上に、粘着膜が形成されている請求項１ないし７の何れか１項に記載の光学制御部材。
【請求項９】
請求項１ないし８の何れか１項に記載の光学制御部材を備えた建築用部材。
【発明の詳細な説明】
【技術分野】
【０００１】
この発明の実施形態は、光学制御部材および光学制御部材を備えた建築用部材に関する。
【背景技術】
【０００２】
近年、室内に取り入れる太陽光の量を調節する光学制御部材として、フォトクロミック色素を含む遮光帯を備える光学制御部材が知られている。フォトクロミック色素とは、通常の分子構造では可視光を吸収しないが、太陽光に含まれる紫外線等の短波長の光が照射されると、色素の分子構造が変化して、すなわち、着色して、可視光を吸収し、短波長の光の照射が止むと、元の分子構造に戻る化学物質である。上記光学制御部材は、可視光を吸収する物質が遮光材として機能することを利用したものである。
【先行技術文献】
【特許文献】
【０００３】
【特許文献１】特開２０１２−１６３９０５号公報
【特許文献２】特開２０１２−２３０２１９号公報
【発明の概要】
【発明が解決しようとする課題】
【０００４】
しかしながら、上記の光学制御部材は、フォトクロミック色素が着色した場合、全ての方向の視野が低下し、フォトクロミック色素が着色していない場合、ある一定方向しか視野が確保できないという問題があった。
【０００５】
本発明が解決しようとする課題は、遮光状態においてもある方向の視認性を確保し、遮光する必要がない場合は、全方向の視認性を確保できる光学制御部材を提供することである。
【課題を解決するための手段】
【０００６】
実施形態の光学制御部材は、パターンで形成された、複数の第１領域および複数の第２領域を有する光学制御層と、前記光学制御層と所定の間隔を置いて対向配置されたフォトクロミック色素を含む制御層と、を備え、前記第１領域は、前記第２領域と比較して光の透過性が高い。
【図面の簡単な説明】
【０００７】
【図１】図１は、実施形態に係る光学制御部材の断面図。
【図２】図２は、実施形態に係る光学制御部材の基材表面に対して、法線方向から太陽光が入射したときの様子を示す断面図。
【図３】図３は、実施形態に係る光学制御部材の基材表面に対して、斜め方向から太陽光が入射したときの様子を示す断面図。
【図４】図４は、実施形態に係る光学制御部材の基材表面に対して、法線方向から太陽光が入射したときの、室内側からの観測角度に応じた透過率を相対的に表したグラフを示した図。
【図５】図５は、実施形態に係る光学制御部材の基材表面に対して、斜め方向から太陽光が入射したときの、室内側からの観測角度に応じた透過率を相対的に表したグラフを示した図。
【図６】図６は、実施形態に係る光学制御部材の変形例の断面図。
【図７】図７は、実施形態に係る光学制御部材の変形例の断面図。
【図８】図８は、実施形態に係る光学制御部材の変形例の断面図。
【図９】図９は、実施形態に係る光学制御部材の変形例の断面図。
【図１０】図１０は、実施形態に係る光学制御部材の変形例の断面図。
【図１１】図１１は、光学制御層の異なるパターンを例示した平面図。
【図１２】図１２は、光学制御層の異なるパターンを例示した平面図。
【図１３】図１３は、光学制御層の異なるパターンを例示した平面図。
【発明を実施するための形態】
【０００８】
以下、図面を参照しながら、本発明の実施形態に係る光学制御部材について詳細に説明する。なお、開示はあくまで一例にすぎず、当業者において、発明の主旨を保っての適宜変更であって容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
（第１の実施形態）  
図１は、第１の実施形態に係る光学制御部材の断面図である。図１に示すように、光学制御部材１０は、光透過性を有するシート状の基材２０を備えている。基材２０としては、例えば、厚さ１ｍｍのポリエチレンテレフタレート（PET）製の透明な樹脂シートを用いることができる。基材２０は、ガラス、ポリカーボネイトまたはアクリルを含む樹脂部材群から選ばれる材料で形成されていてもよい。基材２０は、無色または着色されている板材もしくはフィルム材である。
【００１０】
基材２０は、互いに対向する平坦な矩形状の第１面（室内側に向いた面）２０ａおよび第２面（室外側に向いた面）２０ｂを有している。光学制御部材１０は、第１面２０ａの全面に設けられた光学制御層３０と、光学制御層３０と所定の間隔を置いて対向配置した第２面２０ｂの全面に設けられたフォトクロミック色素を含む制御層４０と、を有している。
【００１１】
光学制御層３０は、交互に並設された複数の帯状あるいはストライプ状の第１領域３２と複数の帯状あるいはストライプ状の第２領域３４とを有し、各第１領域３２は第２領域３４よりも光を透過する特性を有している。第１領域３２および第２領域３４は、互いに平行に延び、また、第１面２０ａの一端縁（ここでは、上端縁）から他端縁（ここでは、下端縁）まで直線的に延在している。すなわち、第１領域３２および第２領域３４は、第１面２０ａの全域に渡り均質で繰り返し性を持って設けられている。
【００１２】
各第２領域３４は、主に光を吸収する遮光層として形成されている。本実施形態では、第２領域３４は、太陽光の紫外線から赤外線に至る光線を吸収する材料、例えば、カーボンブラックインクで形成している。各第２領域３４は、光を完全に遮光できるように、（即ち、光の透過率が０％となるように）カーボンブラックの含有量と膜厚が調整されている。第１領域は、各第１領域３２は、光透過層として形成されている。本実施形態では、第１領域３２は、帯状の開口パターンであり、基材２０の第１面２０ａにより形成されている。
【００１３】
本実施形態において、第１領域３２の幅（帯の幅方向の幅）は、１ｍｍに形成され、同様に第２領域３４の幅（帯の幅方向の幅）も、１ｍｍに形成されている。つまり、第１領域３２と第２領域３４とを交互に並設する方向（帯の短手方向）に沿った、複数の第１領域３２の並設ピッチは、１ｍｍに設定されている。なお、光学制御層３０は、複数の層を積層して形成されていてもよい。
【００１４】
制御層４０は、通常は光透過性を有し、太陽光が照射されると着色し光を吸収する光学的特性を有している。制御層４０は、太陽光が照射されて着色した際に、光を完全に遮光（吸収）できるように、（即ち、光の透過率がほぼ０％となるように）フォトクロミック色素の含有量と膜厚が調整されている。また、制御層４０は、コンクリートまたは白い壁等から反射した太陽光が入射してきた場合、視認性を妨げない程度の着色度合となるように、フォトクロミック色素の含有量と膜厚が調整されている。制御層４０は、異なる色に着色する複数種類のフォトクロミック色素を混ぜて使用し、紫外線等の短波長の光が照射された場合、黒色に着色するように調整されている。フォトクロミック色素は、例えば、スピロラン系化合物やスピロオキサジン系化合物等、公知のものを使用することができる。なお、制御層４０は、それぞれフォトクロミック色素を含有する複数の層を積層して構成してもよい。また、光学制御部材１０の少なくとも片面に保護層や粘着層を設けてもよい。
【００１５】
続いて、光学制御部材１０の第１面２０ａ側から太陽光が入射した場合の、制御層４０の変化を、図２および図３を参照しながら説明する。図２は、光学制御部材１０の基材２０の第１面２０ａに対して、法線方向（９０度の方向）から太陽光が入射したときの様子を示す断面図であり、図３は、光学制御部材１０の基材２０の第１面２０ａに対して、斜め方向（４５度の方向）から太陽光が入射したときの様子を概略的に示す断面図である。図２および図３において、矢印の方向が太陽光の入射方向である。
【００１６】
図２に示すように、太陽光が基材２０の第１面２０ａに対して垂直に入射する場合、太陽光の一部は、光学制御層３０の第２領域３４により遮光され、他の一部は、第１領域（開口部）３２を通って基材２０に入射し、更に、基材２０を透過して制御層４０に入射する。これにより、制御層４０の内、それぞれ光学制御層３０の第１領域３２と対向する領域は、太陽光が照射されて着色し、複数の着色領域４０ａを形成する。各着色領域４０ａは、入射する太陽光を吸収し遮光する。また、制御層４０の内、それぞれ光学制御層３０の第２領域３４と対向する領域は、太陽光が照射されず、着色することなく非着色領域４０ｂを形成する。
【００１７】
従って、基材２０の第２面２０ｂ側から垂直に光学制御部材１０を観察した場合、第１面２０ａ側の遮光層（第２領域３４）と第２面２０ｂ側に形成された制御層４０の非着色領域４０ｂとが、ほぼ重なって見え、かつ、第１面２０ａ側に形成された開口部（第１領域３２）と第２面２０ｂ側に形成された制御層４０の着色領域４０ａとが、ほぼ重なって見える。基材２０の第１面２０ａ側または第２面２０ｂ側から垂直に光学制御部材１０を観察した場合、第２領域３４（遮光層）と制御層４０の着色領域４０ａとが、帯状に交互にならんだパターンが観察される。すなわち、太陽光は光学制御部材１０の全面で遮光され、光学制御部材１０の全面が黒く見える。これにより、光学制御部材１０の背景側の景色を観察することができない。
【００１８】
一方、基材の第１面側または第２面側から斜めに光学制御部材１０を観察した場合、第１面２０ａ側の遮光層（第２領域３４）と第２面２０ｂ側に形成された制御層４０の着色領域４０ａとが、ほぼ重なって見え、かつ、第１面２０ａ側に形成された開口部（第１領域３２）と第２面２０ｂ側の非着色領域４０ｂとが、ほぼ重なって見える。従って、基材２０の第２面２０ｂ側から斜めに光学制御部材１０を観察した場合、非着色領域４０ｂ、基材２０、第１領域（開口部）３２を通して、光学制御部材１０の背景側の景色を視認することができる。すなわち、基材２０の第１面２０ａに対して斜めに入射する光を観察することができる。この観察できる光は、フォトクロミック色素の化学構造を変化させない波長領域の光である。このように、光学制御部材１０は、遮光状態においても、ある方向の視認性を確保することができる。
【００１９】
図３に示している通り、太陽光が基材２０の第１面２０ａに対して斜めに（例えば、法線方向に対して４５度傾斜した方向）入射する場合、太陽光の一部は、光学制御層３０の第２領域３４により遮光され、他の一部は、第１領域（開口部）３２を斜めに通って基材２０に入射し、更に、基材２０を透過して制御層４０に入射する。これにより、制御層４０の内、それぞれ光学制御層３０の第２領域（遮光層）３４とほぼ垂直に対向する領域は、太陽光が照射されて着色し、複数の着色領域４０ａを形成する。各着色領域４０ａは、入射する太陽光を吸収し遮光する。また、制御層４０の内、それぞれ光学制御層３０の第１領域（開口部）３２と対向する領域は、太陽光が照射されず、着色することなく非着色領域４０ｂを形成する。
【００２０】
従って、基材２０の第２面２０ｂ側から斜めに光学制御部材１０を観察した場合、第１面２０ａ側の遮光層（第２領域３４）と第２面２０ｂ側に形成された制御層４０の非着色領域４０ｂとが、ほぼ重なって見え、かつ、第１面２０ａ側に形成された開口部（第１領域３２）と第２面２０ｂ側に形成された制御層４０の着色領域４０ａとが、ほぼ重なって見える。これにより、基材２０の第２面２０側から斜めに光学制御部材１０を観察した場合、第２領域（遮光層）３４と着色領域４０ａとが、帯状に交互にならんだパターンが観察される。すなわち、太陽光は光学制御部材１０の全面で遮光され、光学制御部材１０の全面が黒く見える。これにより、光学制御部材１０の背景側の景色を観察することができない。
【００２１】
一方、基材２０の第１面２０ａ側または第２面２０ｂ側から垂直に光学制御部材１０を観察した場合、第１面２０ａ側の遮光層（第２領域３４）と第２面２０ｂ側に形成された着色領域４０ａとが、ほぼ重なって見え、かつ、第１面２０ａ側に形成された開口部（第１領域３２）と第２面２０ｂ側に形成された非着色領域４０ｂとが、ほぼ重なって見える。従って、基材２０の第２面２０ｂ側から垂直に光学制御部材１０を観察した場合、非着色領域４０ｂ、基材２０、第１領域（開口部）３２を通して、光学制御部材１０の背景側の景色を視認することができる。すなわち、基材２０の第１面２０ａに対して垂直に入射する光を観察することができる。この観察できる光は、フォトクロミック色素の化学構造を変化させない波長領域の光である。このように、光学制御部材１０は、遮光状態においても、ある方向の視認性を確保することができる。
【００２２】
すなわち、光学制御部材１０によれば、太陽光の紫外線成分を活用して、太陽光がどの角度から照射されたとしても太陽光を全て遮光し、かつ、太陽光の入射方向と異なる観測角度では景色を見通すことが可能になる。
【００２３】
上で説明した観察方向と景色の視認性との関係を、グラフを参照しながら更に説明する。
【００２４】
図４および図５は、観測角度（観察方向）と透過率の関係を示すグラフであり、室内側（第２面側）からみた場合の景色の視認性を表している。グラフの縦軸は、光学制御部材１０を透過する光の最大透過率を１００とした場合の相対透過率である。グラフの横軸は、観測角度であり、０度または１８０度の観測角度は、観察方向が光学制御部材１０の第２面２０ｂと平行な方向であることを示し、観測角度９０度は、観察方向が光学制御部材１０の第２面２０ｂに対して垂直方向であることを示している。
【００２５】
図４は、太陽光が基材２０の第１面２０ａに対して垂直に入射する場合の観測角度と透過率との関係を示している。上で説明したとおり、太陽光が基材２０の第１面２０ａに対して垂直に入射する場合、基材２０の第２面２０ｂ側から垂直方向に光学制御部材１０を観察すると、相対透過率はゼロとなり、光学制御部材１０の背景側の景色を観察することができないことが分かる。基材２０の第２面２０ｂ側から斜め方向に光学制御部材１０を観察すると、光学制御部材１０の背景側の景色を観察することができる。光学制御部材１０に対して並行な方向（０、１８０度）では透過率が急激に零に変化しているが、これは光学制御部材１０のフレネル反射（屈折率の異なる界面では低角度で入射した光は反射されてしまう）の効果によるものである。基本的には実施例の設計では、観察方向を基材２０の第２面２０ｂと平行な方向（０度）から垂直方向（９０度）へ変えるに従い、入射光の相対透過率が１００から０へ変化する。また、観察方向を基材２０の第２面２０ｂに垂直な方向（９０度）から平行な方向（１８０度）へ変えるに従い、入射光の相対透過率が０から１００へ変化する。
【００２６】
図５は、太陽光が基材２０の第１面２０ａに対して斜め方向（４５度）に入射する場合の観測角度と相対透過率との関係を示している。上で説明したとおり、太陽光が基材２０の第１面２０ａに対して斜め方向に入射する場合、基材２０の第２面２０ｂ側から垂直方向に光学制御部材１０を観察すると、光学制御部材１０の背景側の景色を観察することができ、基材２０の第２面２０ｂ側から斜め方向に光学制御部材１０を観察すると、光学制御部材１０の背景側の景色を観察することができない。図５に示すように、観測方向を基材２０の第２面２０ｂと平行な方向（０度）から垂直方向（９０度）へ変えるに従い、入射光の相対透過率が０から１００へ変化する。また、観測方向を基材２０の第２面２０ｂに垂直な方向（９０度）から平行な方向（１８０度）へ変えるに従い、入射光の相対透過率が１００から０へ変化する。
【００２７】
なお、光学制御部材１０の厚さと光学制御層３０のパターンピッチを適時変えることによって、太陽光に対する透視可能角度を変えることができる。たとえば、光学制御層３０のパターン幅を変えずに光学制御部材１０の厚さを２倍にするか、あるいは、光学制御部材１０の厚さを変えずに光学制御部材の第１領域および第２領域を０．５ｍｍにすることにより、太陽光の入射角度に対してわずかに変位した角度（４５度程度）で相対透過率を最大とすることができる。
【００２８】
なお、図１に示すように、光学制御部材１０により太陽光を遮光する必要がない場合、例えば、夜間のように太陽光が照射されていない場合、制御層４０は、着色することなく全域が非着色領域となっている。そのため、光学制御部材１０の第２面２０ｂ側から、制御層４０、基材２０、第２領域（開口部）３２を通して、全方向の視認性を確保することができる。
【００２９】
以下に実施形態に係る光学制御部材１０を使用した場合に奏する効果または利点について説明する。  
実施形態に係る光学制御部材１０によれば、基材２０の第２面全面にフォトクロミック色素を有する制御層４０が設けられ、第１面２０ａ上に形成された光学制御層３０で遮られなかった太陽光は、制御層４０の着色領域によって遮光される。つまり、太陽光は、入射角度にかかわらず、常に光学制御部材１０によって遮光される。換言すると、実施形態に係る光学制御部材１０は、制御層４０のうち着色される着色領域（太陽光を遮光する領域）が、太陽高度の変化に追従して自動的に変位する。一方で、上に説明したとおり、太陽光の入射角度にかかわらず、制御層４０非着色領域と光学制御層３０の開口部（第１領域３２）とを通して、光学制御部材１０の背景側の景色を視認可能である。従って、実施形態に係る光学制御部材１０は、太陽高度の時間変化に関係なく、一定の視野を確保しながら、太陽光を遮光および遮断することができる。
【００３０】
また、光学制御部材１０の制御層４０は、基材２０の第２面２０ｂ全面に一様に形成し、パターン状に形成しない。従って、基材２０の両面に遮光層をパターニングする従来の光学制御部材と異なり、基材２０の第１面２０ａに形成した光学制御層３０と第２面２０ｂに形成した制御層４０との位置合わせが不要となる。光学制御層３０は、例えば、スクリーン印刷などで容易に形成することができる。
【００３１】
太陽高度の変化に自動的に追従して遮光する機能を有する光学制御部材は、建築用の窓のみならず、時間とともに場所を移動する自動車、船または飛行機等の後方側または側面側ウィンドウに使用することによって、視野を確保しながら、最大限の省エネルギー効果を得ることが可能である。また、太陽光がない夜間では、可視光は、基材の第１面に設けられた遮光層に遮られるのみであり、基材の第２面に対してどの方向から観察しても景色を視認可能である。
【００３２】
次に、他の実施形態あるいは変形例に係る光学制御部材について説明する。以下に述べる他の実施形態あるいは変形例において、前述した第１の実施形態と同一の部分には、同一の参照符号を付してその詳細な説明を省略し、異なる構成を中心に説明する。
【００３３】
前述した第１の実施形態に係る光学制御部材１０では、光学制御層３０とフォトクロミック色素を含む制御層４０は、共通の基材の両面に形成されているが、これに限定されることはない。
【００３４】
（第２の実施形態）  
図６は、第２の実施形態に係る光学制御部材を示す断面図である。図６に示すように、本実施形態によれば、光学制御部材１０は、２つの基材２０、５０を備え、光学制御層３０および制御層４０は、別々の基材に形成されている。
【００３５】
光透過性を有する基材２０は、例えば、板状に形成され、隙間を置いて互いに対向する第１面２０ａおよび第２面２０ｂを有している。同様に、光透過性を有する基材５０は、例えば、板状に形成され、隙間を置いて互いに対向する第１面５０ａおよび第２面５０ｂを有している。基材５０は、その第１面５０ａが基材２０の第２面２０ｂと所定の隙間を置いて平行に対向するように配設されている。基材２０、５０は、それぞれ可視光およびフォトクロミック色素の分子構造を変化させる短波長の光を透過する。
【００３６】
基材２０の第２面２０ｂ上に第１領域３２および第２領域３４を有する光学制御層３０が形成されている。フォトクロミック色素を含む制御層４０は、基材５０の第１面５０ａの全面に亘って形成され、光学制御層３０と隙間を置いて対向している。
【００３７】
このように構成された光学制御部材１０の場合も、光学制御層３０とフォトクロミック色素を含む制御層４０との距離およびそれぞれの層の膜厚、光学制御層３０が備える第１領域３２および第２領域３４の幅ならびにピッチ等を適宜調節することによって、第１の実施形態に係る光学制御部材と同等の作用効果が得られる。
【００３８】
（変形例）  
図７、図８、図９は、第１、第２、第３の変形例に係る光学制御部材をそれぞれ示す断面図である。  
図７に示すように、第１の変形例によれば、光学制御層３０は、基材２０の第１面２０ａに設けられ、フォトクロミック色素を含む制御層４０は、基材５０の第２面２０ｂ上に設けられている。  
図８に示すように、第２の変形例によれば、光学制御層３０は、基材２０の第１面２０ａに設けられ、フォトクロミック色素を含む制御層４０は、基材５０の第１面２０ａ上に設けられている。
【００３９】
図９に示すように、第３の変形例によれば、光学制御層３０は、基材２０の第２面２０ｂに設けられ、フォトクロミック色素を含む制御層４０は、基材５０の第２面２０ｂ上に設けられている。
【００４０】
いずれの変形例においても、光学制御層３０と制御層４０との距離およびそれぞれの層の膜厚、光学制御層３０が備える第１領域３２および第２領域３４の幅ならびにピッチ等を適宜調節することによって、第１の実施形態に係る光学制御部材と同等の作用効果が得られる。
【００４１】
（第３の実施形態）  
図１０は、第３の実施形態に係る光学制御部材を示す断面図である。フォトクロミック色素を含む制御層４０は、必ずしも透明な基材２０の表面に形成されている必要はない。本実施形態によれば、光学制御部材１０は、２つの基材２０、５０を備えている。光透過性を有する基材２０は、例えば、板状に形成され、隙間を置いて互いに対向する第１面２０ａおよび第２面２０ｂを有している。同様に、光透過性を有する基材５０は、例えば、板状に形成され、隙間を置いて互いに対向する第１面５０ａおよび第２面５０ｂを有している。基材５０は、その第１面５０ａが基材２０の第２面２０ｂと所定の隙間を置いて平行に対向するように配設されている。基材２０、５０は、それぞれ可視光およびフォトクロミック色素の分子構造を変化させる短波長の光を透過する。
【００４２】
基材２０の第２面２０ｂ上に第１領域３２および第２領域３４を有する光学制御層３０が形成されている。基材５０は、フォトクロミック色素を含み、制御層４０を構成している。その場合、例えば、透明樹脂にフォトクロミック色素を加えて混練し、基材５０を形成する。
【００４３】
基材５０がフォトクロミック色素を含んでいる光学制御部材１０においても、光学制御層３０とフォトクロミック色素を含む基材５０との距離およびそれぞれの層の厚さ、光学制御層３０が備える第１領域３２および第２領域３４の幅ならびにピッチ等を適宜調節することによって、第１の実施形態に係る光学制御部材と同等の作用効果が得られる。
【００４４】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００４５】
上記の実施形態に係る光学制御部材１０において、光学制御層３０が備える第１領域３２および第２領域３４のパターンは帯状であった。しかしながら、光学制御層３０が備える第１領域３２および第２領域３４のパターンは、必ずしも帯状に形成されている必要はない。例えば、図１１〜１３に示すように、光学制御層３０はドット状のパターンであってもよい。
【００４６】
図１１および図１２は、紙面の左右（Ｘ軸）方向と上下（Ｙ軸）方向の２方向に遮光性を発揮するパターン例を示している。この場合、Ｘ、Ｙ軸に対して４５度傾いた方向は、Ｘ、Ｙ軸よりも遮光性が弱まる。図１１に示すパターンと図１２に示すパターンとでは、第１領域３２の開口率が異なっており、光学制御部材１０全体の透過率と４５度方向の遮光性能の設定を調整している。
【００４７】
図１３は、全方向の遮光性を発揮するパターン例を示している。遮光性能は全方位で発揮される一方で、第１領域３２の開口率が最も小さくなるため、光学制御部材１０全体の透過率も一番小さくなる。
【００４８】
以上のように、光学制御層３０の第１領域３２と第２領域３４とのパターンは、用途に応じて柔軟に設計が可能である。
【００４９】
また、制御層４０は、黒色以外の色に着色させるように複数種類のフォトクロミック色素が配合されていてもよい。また、制御層４０に用いるフォトクロミック色素は、可視光によって着色する色素であってもよい。光学制御部材１０に、可視光によって着色するフォトクロミック色素を用いた場合、光学制御部材１０は室内灯の明かり漏れを防ぐ目隠し機能（プライベート防止機能）を発揮する。
【００５０】
また、実施形態に係る光学制御部材１０が備える透明基材２０の形状は、曲面状であってもよい。上記のとおり、実施形態に係る光学制御部材１０が備える制御層４０は、透明基材の一方の面に一様に形成されているため、光学制御層３０との位置合わせが不要である。したがって、実施形態に係る光学制御部材１０は、透明基材２０の形状が曲面状であっても、所望の遮光効果を得るための光学制御層３０の設計が容易である。また、透明基材２０の形状が曲面状であっても、制御層４０の形成自体が容易である。
【符号の説明】
【００５１】
１０…光学制御部材、２０、５０…基材、３０…光学制御層３０、
３２…第１領域３２、３４…第２領域３４、
４０…制御層、
２０ａ、５０ａ…第１面、２０ｂ、５０ｂ…第２面
【図１】
2016024232.tif 000003
【図２】
2016024232.tif 000004
【図３】
2016024232.tif 000005
【図４】
2016024232.tif 000006
【図５】
2016024232.tif 000007
【図６】
2016024232.tif 000008
【図７】
2016024232.tif 000009
【図８】
2016024232.tif 000010
【図９】
2016024232.tif 000011
【図１０】
2016024232.tif 000012
【図１１】
2016024232.tif 000013
【図１２】
2016024232.tif 000014
【図１３】
2016024232.tif 000015